(57)【要約】  ヒドロカルビル官能性オルガノポリシロキサンを含有する、化粧用、家庭用及び医療用組成物が開示される。ヒドロカルビル官能性オルガノポリシロキサンは、少なくとも１つの、式−Ｒ２ＯＣＨ２ＣＨ２ＯＨ（式中、Ｒ２は２〜６個の炭素原子を含有する二価の炭化水素基である）のシロキシ単位を含有する。ヒドロカルビル官能性オルガノポリシロキサンを含有させることにより、改善された性能及び／又は安定性を有する、パーソナルケア組成物、医療用組成物、自動車ケア組成物及び家庭用ケア組成物を提供する。【特許請求の範囲】
【請求項１】
（ｉ）式Ｒ１ＲｉＳｉＯ（３−ｉ）／２（式中、Ｒは一価の炭化水素基であり、Ｒ１は式−Ｒ２ＯＣＨ２ＣＨ２ＯＨを有するヒドロカルビル基であり、Ｒ２は２〜６個の炭素原子を含有する二価の炭化水素基であり、ｉは０〜２である）のシロキシ単位を含むヒドロカルビル官能性オルガノポリシロキサンと、
（ｉｉ）オルガノポリシロキサン樹脂と
を含む組成物。
【請求項２】
前記ヒドロカルビル官能性オルガノポリシロキサンが、１０〜２０質量％のＲ１ヒドロカルビル基を含有する請求項１に記載の組成物。
【請求項３】
前記ヒドロカルビル官能性オルガノポリシロキサンが、次の群：
Ｒ３ＳｉＯ（ＲＲ１ＳｉＯ）ｙＳｉＲ３、
Ｒ３ＳｉＯ（Ｒ２ＳｉＯ）ｘ（ＲＲ１ＳｉＯ）ｙＳｉＲ３、
Ｒ１Ｒ２ＳｉＯ（Ｒ２ＳｉＯ）ｘＳｉＲ２Ｒ１、
Ｒ１Ｒ２ＳｉＯ（ＲＲ１ＳｉＯ）ｚＳｉＲ２Ｒ１、
Ｒ１Ｒ２ＳｉＯ（Ｒ２ＳｉＯ）ｘ（ＲＲ１ＳｉＯ）ｚＳｉＲ２Ｒ１、
Ｒ１Ｒ２ＳｉＯ（Ｒ２ＳｉＯ）ｘＳｉＲ３、
Ｒ１Ｒ２ＳｉＯ（ＲＲ１ＳｉＯ）ｚＳｉＲ３、
Ｒ１Ｒ２ＳｉＯ（Ｒ２ＳｉＯ）ｘ（ＲＲ１ＳｉＯ）ｚＳｉＲ３、及び
式−（Ｍｅ２ＳｉＯ）ｍ（ＭｅＲ１ＳｉＯ）ｎ−の環状シロキサン
（式中、Ｒは、１〜２０個の炭素原子を含有する、アルキル、シクロアルキル、アルケニル、アラルキル又はアリール基であり；Ｒ１は、−（ＣＨ２）３ＯＣＨ２ＣＨ２ＯＨであり；ｘは１〜５００であり、ｙは１〜４０であり、ｚは１〜４０であり、ｍは１〜６であり、ｎは１〜６であり、ｍ＋ｎの合計は３〜１２である）から選択される式を有するポリジオルガノシロキサンである請求項１に記載の組成物。
【請求項４】
Ｒがメチルである請求項３に記載の組成物。
【請求項５】
前記ポリジオルガノシロキサンが、式Ｒ１Ｍｅ２ＳｉＯ（Ｍｅ２ＳｉＯ）ｘＳｉＭｅ２Ｒ１（式中、Ｒ１は−（ＣＨ２）３ＯＣＨ２ＣＨ２ＯＨ、及びｘは１〜１００である）を有する請求項３に記載の組成物。
【請求項６】
ｘが５〜５０である請求項５に記載の組成物。
【請求項７】
ｘが１０〜２０である請求項５に記載の組成物。
【請求項８】
前記オルガノポリシロキサン樹脂が、次の単位：
（ｉ）（Ｒ３ＳｉＯ１／２）ａ、
（ｉｉ）（Ｒ２ＳｉＯ２／２）ｂ、
（ｉｉｉ）（ＲＳｉＯ３／２）ｃ、及び
（ｉｖ）（ＳｉＯ４／２）ｄ
（式中、Ｒは一価の炭化水素基であり、ａは０〜０．８であり、ｂは０〜０．４であり、ｃは０〜０１．０であり、ｄは０〜０．８であり、但しｃ又はｄのどちらかの値が０より大きく、及びａ＋ｂ＋ｃ＋ｄの値が１である）を含む請求項１に記載の組成物。
【請求項９】
前記オルガノポリシロキサン樹脂が、少なくとも８０モル％の、（Ｒ３ＳｉＯ１／２）ａ及び（ＳｉＯ４／２）ｄ単位（式中、Ｒは一価の炭化水素基であり、ａ及びｄは０より大きな値を有し、及びａ／ｄの比は０．５〜１．５である）を含むＭＱ樹脂である請求項１に記載の組成物。
【請求項１０】
有機又はシリコーン溶媒から選択されるキャリアをさらに含む請求項１に記載の組成物。
【請求項１１】
（ｉｉｉ）抗にきび剤、虫歯予防剤、ふけ防止剤、抗真菌剤、抗菌剤、酸化防止剤、制汗剤、化粧用殺生剤、体臭防止剤、外用鎮痛剤、口腔ケア剤、口腔ケア薬、酸化剤、還元剤、皮膚漂白剤、皮膚保護剤、日焼け防止剤、ＵＶ光吸収剤、顔料、保湿剤、ビタミン、酵素、蛍光増白剤、柔軟剤、及び界面活性剤からなる群から選択される、少なくとも１つの、化粧用活性成分、家庭用ケア活性成分又は医療用活性成分をさらに含む請求項１又は１０に記載の組成物。
【請求項１２】
請求項１又は１０に記載の組成物を含む化粧品。
【請求項１３】
前記化粧品が口紅である請求項１２に記載の化粧品。
【請求項１４】
請求項１又は１０に記載の組成物を毛髪又は皮膚に適用することを含む毛髪又は皮膚の処理方法。
【発明の詳細な説明】
【技術分野】
【０００１】
［発明の分野］
本発明は、ヒドロカルビル官能性オルガノポリシロキサンと、オルガノポリシロキサン樹脂とを含有する組成物に関する。ヒドロカルビル官能性オルガノポリシロキサンは、少なくとも１つの、式−Ｒ２ＯＣＨ２ＣＨ２ＯＨ（式中、Ｒ２は、２〜６個の炭素原子を含有する二価の炭化水素基である）のシロキシ単位を含有する。ヒドロカルビル官能性オルガノポリシロキサンとオルガノポリシロキサン樹脂との組み合わせにより、様々なパーソナルケア組成物、医療用組成物、自動車ケア組成物(automotive care composition)及び家庭用ケア組成物(household care composition)で用いられ得る、膜特性を改善したベース組成物(base composition)を提供する。
【背景技術】
【０００２】
［本発明の背景］
成功した色化粧品組成物(color cosmetic composition)は、最終製品の性能を最適化するために、３つの重要な要素を通常含む。これらの要素は、皮膚上に形成される色膜(color film)、製品を製造するのに使用される顔料、及び選択された色化粧品の構造又は質感(texture)であると言われている。これらの要素のそれぞれは、各々が相互作用して異なる性質をもたらし、最終色製品において製造者(formulator)が予期したものから性能の欠陥又は低下をもたらすことがあるので、その基本的な性質について特定の注意を要する。
【０００３】
おそらく、色化粧品についての最も重大な要件の１つは膜形成である。もし膜が均一でなければ、最終製品の最適な着色が生じず、膜の光沢が影響を受け、最終的な色化粧品が低下した性能を示すであろう。
【０００４】
膜はいくつかの方法で形成され得る。最も簡単な方法としては、１つの溶媒又は複数の溶媒中に全ての成分を溶解して所望の適用粘度とした後、皮膚上に製品を適用し、次いで溶媒を蒸発させることである。しかしながら、特に、濡れ性(wet-ability)、相容性(compatibility)、レオロジー、顔料含有量、基体特性及び溶媒系特性等の多くの因子が、膜形成に影響を及ぼす。これら因子の制御は、製造者が、滑り易さ、軽度の摩耗(mild abrasion)に対する耐久性、レベリング、良好な展着性(spread-ability)、耐水性、接着性及び光沢等の良好な特性を有する膜を製造できるようにするであろう。
【０００５】
良好な膜は、３つの重要な配合因子(formulating factor)である相容性、粘度及び濡れ(wetting)にしばしば依存する。
【０００６】
（相容性）
相容性とは、様々な構成成分が、如何なる相互作用もすることなく１つの配合物中に存在することである。系の構成成分は、所定の比率で均一（１相）の混合物を形成すべきである（熱力学的相容性）。系は、如何なる成分の分離（２つ以上の相）や、如何なる懸濁化剤の沈殿又は存在（粒状性、塊等）があってはならない。系は、澄んだ若しくは透明（可溶性）、又は濁った若しくは不透明であり得るが、全ての成分は１相中に共存すべきである。コーティングの場合において、系は、基体上に均一の膜を形成すべきである。組成物で用いられる成分が一部分だけ適合する（すなわち、混和性限界を有する）場合、組成物の均一状態を維持するのに相容剤(compatibilizer）を必要とする。
【０００７】
（粘度）
また、コーティングの粘度は、濡れ及び表面欠陥形成に影響を及ぼし、濡れの度合は、粘度及び表面張力に依存する。他の条件（表面張力、接触角等）が良好であるとしても、粘度があまりにも高すぎると自発的な展着又はディウェッテイング(dewetting)が生じないことがある。粘度によって、表面欠陥が形成されたり、形成されなかったりする。
【０００８】
（濡れ）
濡れは、液体と固体との相互作用を伴う。かかる相互作用は、表面上での液体の展着、多孔質媒体中への液体の浸透、又は１つの液体の他の液体による置換であり得る。
【発明の開示】
【発明が解決しようとする課題】
【０００９】
従って、化粧品組成物においてベースとして用いられ得る、改善された膜特性を有する組成物の必要性がある。特に、色化粧品で用いられる共通の成分と相容性があり、適用の際に化粧品膜の粘度の調節を可能にし、且つ適用の際の皮膚表面の適切な濡れを提供する、化粧品で使用するためのベース組成物の必要性がある。さらに、かかるベース組成物は、美的品質を有し、消費者向けの魅力的な化粧品製品の処方を可能にすべきである。
【課題を解決するための手段】
【００１０】
本発明者等は、ヒドロカルビル官能性オルガノポリシロキサンとオルガノポリシロキサン樹脂とを含有する、かかるベース組成物を見出した。
【００１１】
（本発明の要約）
本発明は、
（ｉ）式Ｒ１ＲｉＳｉＯ（３−ｉ）／２（式中、Ｒは一価の炭化水素基であり、Ｒ１は式−Ｒ２ＯＣＨ２ＣＨ２ＯＨを有するヒドロカルビル基であり、Ｒ２は２〜６個の炭素原子を含有する二価の炭化水素基であり、ｉは０〜２である）のシロキシ単位を含むヒドロカルビル官能性オルガノポリシロキサンと、
（ｉｉ）オルガノポリシロキサン樹脂と
を含む組成物を提供する。
【００１２】
また、本発明は、本発明の組成物を含む、化粧用、家庭用又は医療用配合物に関する。
【発明を実施するための最良の形態】
【００１３】
（本発明の詳細な説明）
本発明のヒドロカルビル官能性オルガノポリシロキサンは、式Ｒ１ＲｉＳｉＯ（３−ｉ）／２のシロキシ単位を含む。式中、Ｒは、任意の一価の炭化水素基であるが、典型的には、１〜２０個の炭素原子を含有する、アルキル、シクロアルキル、アルケニル、アラルキル又はアリール基であり、Ｒ１は−Ｒ２ＯＣＨ２ＣＨ２ＯＨを有するヒドロカルビル基であり、Ｒ２は２〜６個の炭素原子を含有する二価の炭化水素基であり、ｉは０〜２である。
【００１４】
オルガノポリシロキサンは、当該技術分野において公知であり、Ｍ単位（Ｒ３ＳｉＯ０．５）、Ｄ単位（Ｒ２ＳｉＯ）、Ｔ単位（ＲＳｉＯ１．５）又はＱ単位（ＳｉＯ２）をいくつも含むものとしてしばしば表される。式中、Ｒは独立して任意の一価の炭化水素基である。本発明において、オルガノポリシロキサンは、少なくとも１つの、式−Ｒ２ＯＣＨ２ＣＨ２ＯＨ（Ｒ１として表される）のヒドロカルビル置換基を有する。ヒドロカルビル置換基におけるＲ２基は、２〜６個の炭素原子を含有する二価の炭化水素基である。二価の炭化水素基Ｒ２は、エチレン、プロピレン、ブチレン、ペンチレン又はヘキシレンにより表される。典型的に、二価の炭化水素は、プロピレン基−ＣＨ２ＣＨ２ＣＨ２−である。
【００１５】
ヒドロカルビル置換基は、Ｓｉ−Ｃ結合を介してオルガノポリシロキサンに結合されている。ヒドロカルビル置換基は、任意のオルガノシロキシ単位に、結合を介してオルガノポリシロキサン中に存在し得る。すなわち、ヒドロカルビル置換基は、任意のＭ、Ｄ又はＴシロキシ単位上に存在してもよい。言い換えると、ヒドロカルビル官能性シロキシ単位は、Ｍ単位（Ｒ１Ｒ２ＳｉＯ０．５）、Ｄ単位（Ｒ１ＲＳｉＯ）、Ｔ単位（Ｒ１ＳｉＯ１．５）又はこれらのあらゆる混合物であり得る。また、ヒドロカルビル官能性オルガノポリシロキサンは、オルガノポリシロキサンが、Ｒ１が存在する状態で少なくとも１つのシロキシ単位を有するという条件で、一般式（Ｒ３ＳｉＯ０．５）、（Ｒ２ＳｉＯ）、（ＲＳｉＯ１．５）又は（ＳｉＯ２）の追加のＭ、Ｄ、Ｔ又はＱシロキシ単位をいくつも含有し得る。
【００１６】
ヒドロカルビル官能性オルガノポリシロキサンの重量平均分子量（ＭＷ）又は数平均分子量（ＭＮ）は、変えることができ、限定されない。ヒドロカルビル官能性オルガノポリシロキサンの形態は、液体又は固体のいずれでもよいが、一般に液体である。
【００１７】
本発明のオルガノポリシロキサンにおけるヒドロカルビル官能性基の量は、変えることができるが、典型的に、オルガノポリシロキサンの全質量の１〜４０質量％、あるいは５〜３０質量％、あるいは１０〜２０質量％の範囲である。
【００１８】
一つの実施形態において、ヒドロカルビル官能性オルガノポリシロキサンは、次の群：
Ｒ３ＳｉＯ（ＲＲ１ＳｉＯ）ｙＳｉＲ３、
Ｒ３ＳｉＯ（Ｒ２ＳｉＯ）ｘ（ＲＲ１ＳｉＯ）ｙＳｉＲ３、
Ｒ１Ｒ２ＳｉＯ（Ｒ２ＳｉＯ）ｘＳｉＲ２Ｒ１、
Ｒ１Ｒ２ＳｉＯ（ＲＲ１ＳｉＯ）ｚＳｉＲ２Ｒ１、
Ｒ１Ｒ２ＳｉＯ（Ｒ２ＳｉＯ）ｘ（ＲＲ１ＳｉＯ）ｚＳｉＲ２Ｒ１、
Ｒ１Ｒ２ＳｉＯ（Ｒ２ＳｉＯ）ｘＳｉＲ３、
Ｒ１Ｒ２ＳｉＯ（ＲＲ１ＳｉＯ）ｚＳｉＲ３、
Ｒ１Ｒ２ＳｉＯ（Ｒ２ＳｉＯ）ｘ（ＲＲ１ＳｉＯ）ｚＳｉＲ３、及び
式−（Ｍｅ２ＳｉＯ）ｍ（ＭｅＲ１ＳｉＯ）ｎ−の環状シロキサン
から選択される式を有する。
【００１９】
これらの式において、Ｒは、１〜２０個の炭素原子を含有する、アルキル、シクロアルキル、アルケニル、アラルキル又はアリール基であり；Ｒ１は、上記で定義されたようなヒドロカルビル基であり；ｘは１〜５００であり、ｙは１〜４０であり、ｚは１〜４０であり、ｍは１〜６であり、ｎは１〜６であり、ｍ＋ｎの合計は３〜１２である。
【００２０】
代わりの実施形態において、ヒドロカルビル官能性オルガノポリシロキサンは、次の式：
（ＳｉＯ２）ｃ（Ｒ３ＳｉＯ３／２）ｄ（Ｒ３２ＳｉＯ）ｅ（Ｒ３３ＳｉＯ１／２）ｆ｛Ｏ１／２ＳｉＲ３２Ｒ４｝ｇ
を有する樹脂である。式中、Ｒ３は、１〜２０個の炭素原子を有するアルキル基、３〜２０個の炭素原子を有するシクロアルキル基、２〜２０個の炭素原子を有するアルケニル基、アラルキル基又はアリール基であり；Ｒ４は、上記Ｒ１と同じ、すなわち、式（ｉ）〜（ｉｖ）の１つであり；ｇは１〜１５，０００である。かかる樹脂において、ｃ、ｄ、ｅ及びｆは、ｃ＜１００、ｃ＋ｄ＞０、及びｃ＋ｄ＋ｅ＋ｆ＝１００というようなモル百分率を表す。この種類のオルガノシロキサン樹脂は、約０．０１〜１５重量％のシラノールを典型的に含有する。
【００２１】
好ましい実施形態において、ヒドロカルビル官能性オルガノポリシロキサンは、次の式：
Ｒ１Ｍｅ２ＳｉＯ（Ｍｅ２ＳｉＯ）ｘＳｉＭｅ２Ｒ１
を有する。式中、Ｒ１は−（ＣＨ２）３ＯＣＨ２ＣＨ２ＯＨ、及びｘは１〜１００、あるいは５〜５０、あるいは１０〜２０である。
【００２２】
本発明のヒドロカルビル官能性オルガノポリシロキサンは、オルガノ水素シロキサンとオレフィン置換ポリオキシアルキレンとのヒドロシリル化のような標準的な方法により製造され得る。ヒドロシリル化反応は、反応物質の取扱いを助けるため、発熱反応を抑制するため、又は反応物質の溶解性を促進させるために、ベンゼン、トルエン、キシレン又はイソプロパノール等の低分子量揮発性炭化水素溶媒中で典型的に行われる。かかる方法は、例えば、上記した’２１８特許に記載されており、参照により本発明に組み込まれる。
【００２３】
また、当該技術分野において周知であり、また本明細書中でＭ、Ｄ、Ｔ及びＱ単位としてそれぞれ用いられている（ｉ）（Ｒ３ＳｉＯ１／２）ａ、（ｉｉ）（Ｒ２ＳｉＯ２／２）ｂ、（ｉｉｉ）（ＲＳｉＯ３／２）ｃ、又は（ｉｖ）（ＳｉＯ４／２）ｄ単位等の様々なシロキシ単位を含む（ｉｉ）オルガノポリシロキサン樹脂を本発明の組成物は含有する。オルガノポリシロキサン樹脂中に存在する各シロキシ単位の量は、オルガノポリシロキサン樹脂中に存在する全てのシロキシ単位の総モル数のモル分率として表すことができる。従って、本発明で有用なオルガノポリシロキサン樹脂は、次の単位：
（ｉ）（Ｒ３ＳｉＯ１／２）ａ、
（ｉｉ）（Ｒ２ＳｉＯ２／２）ｂ、
（ｉｉｉ）（ＲＳｉＯ３／２）ｃ、及び
（ｉｖ）（ＳｉＯ４／２）ｄ
を含む。式中、Ｒは一価の炭化水素基であり、ａは０〜０．８であり、ｂは０〜０．４であり、ｃは０〜０．１．０であり、ｄは０〜０．８であり、但しｃ又はｄのどちらかの値が０より大きく、及びａ＋ｂ＋ｃ＋ｄの値が１である。
【００２４】
本発明の一つの実施形態において、オルガノポリシロキサン樹脂は、少なくとも８０モル％の、（Ｒ３ＳｉＯ１／２）ａ及び（ＳｉＯ４／２）ｄ単位を含むＭＱ樹脂である。式中、Ｒは一価の炭化水素基であり、ａ及びｄは０より大きな値を有し、及びａ／ｄの比は０．５〜１．５である。
【００２５】
構成成分ｉｉ）として使用するのに適切なＭＱ樹脂、及びそれらの調製方法は、当該技術分野において公知である。例えば、参照により本明細書に組み込まれる、カリー(Currie)等の米国特許第２，８１４，６０１号（１９５７年１１月２６日）は、酸を用いて水溶性ケイ酸塩をケイ酸モノマー又はケイ酸オリゴマーに変化させることによりＭＱ樹脂を調製し得ることを開示している。適切な重合が達成された場合、樹脂はトリメチルクロロシランで末端封鎖(end-capped)されてＭＱ樹脂を生じる。ＭＱ樹脂の他の調製方法は、グッドウィン(Goodwin)の米国特許第２，８５７，３５６号（１９５８年１０月２１日）に開示されており、参照により本願明細書に組み込まれる。グッドウィンは、アルキルケイ酸塩と加水分解性トリアルキルシランオルガノポリシロキサンとの混合物を水で共加水分解(cohydrolysis)することによるＭＱ樹脂の調製方法を開示している。
【００２６】
本発明における構成成分ｉｉ）として適切なＭＱ樹脂は、総シロキサン単位の少なくとも８０モル％、あるいは９０モル％がＭ及びＱ単位であることを条件として、Ｄ及びＴ単位を含有してもよい。また、ＭＱ樹脂は水酸基を含有する。典型的に、ＭＱ樹脂は、２〜１０重量％、あるいは２〜５重量％の総重量％水酸基含有量を有する。また、残りの水酸基がＭ基とさらに反応するように、ＭＱ樹脂はさらに「封鎖(capped)」され得る。
【００２７】
本発明による組成物は、上記で述べたような、ヒドロカルビル官能性オルガノポリシロキサン構成成分とオルガノポリシロキサン樹脂構成成分とを、１：９９〜９９：１の重量比で混合することにより形成され得る。かかる組成物は、単純なプロペラミキサー、ブルックフィールド二重反転ミキサー(counter-rotating mixer)又は均質化ミキサーを用いて室温で一般に調製され得る。特別な装置又は加工条件は、典型的に要求されない。
【００２８】
オルガノポリシロキサン樹脂は、そのまま(neat)で使用され得るか、あるいはオルガノポリシロキサン樹脂は、キャリアに溶解され得る。キャリアは、任意の有機又はシリコーン系溶媒であり、後でさらに説明される。
【００２９】
典型的で限定されない、成分ｉｉ）としての使用に適切な市販製品の例としては、ダウコーニング（登録商標）７４９ Ｆｌｕｉｄ、ダウコーニング（登録商標）５９３、ダウコーニング（登録商標）７−４４０５ Ｃｏｓｍｅｔｉｃ Ｆｌｕｉｄ，ダウコーニング（登録商標）２４００ Ｒｅｓｉｎ（ダウコーニング社、ミシガン州ミッドランド）が挙げられる。
【００３０】
本発明の組成物は、パーソナルケア成分、家庭用ケア成分又は医療用成分とさらに混合され得る。かかる組成物は、調製されるべき特定の種類の組成物、及びその意図される最終用途又は利用(application)に応じて、（ｉ）０．１〜９９．９％のヒドロカルビル官能性オルガノポリシロキサン流体又はヒドロカルビル官能性オルガノポリシロキサン樹脂；（ｉｉ）０．１〜９９．９％の日焼け防止剤；任意に（ｉｉｉ）０．１〜４０％の、化粧用活性物質、家庭用ケア活性物質又は医療用活性物質；及び（ｉｖ）１００％までの残部の、水、有機溶媒、シリコーン溶媒又は一つ以上の任意成分を含有し得る。一般に、かかる組成物は、単純なプロペラミキサー、ブルックフィールド二重反転ミキサー又は均質化ミキサーを用いて室温で一般に調製され得る。特別な装置又は加工条件は、典型的に要求されない。
【００３１】
本明細書中で使用されているように、パーソナルケア組成物、医療用組成物及び家庭用ケア組成物という用語は、商品として商業上利用可能である典型的な材料、又は消費者市場における活性成分及び不活性成分を含有する原料を意味することを意図している。
【００３２】
ヒドロカルビル官能性オルガノポリシロキサンは、多数の異なる製品（例えば、ヘアスプレー、シャンプー、ムース（泡状整髪剤）、スタイリングジェル及びローション、クリームリンス／コンディショナー、ヘアトニック、毛髪染料及び着色剤、パーマ、並びに漂白剤等のヘアケア製品）において有用である。また、かかる製品としては、洗剤、保湿剤、コンディショナー、口紅、アイメイク、ファンデーション、マニキュア、日焼け製品、制汗剤／体臭防止剤製品、及び脱毛剤等のスキンケア製品も挙げられる。また、かかる製品としては、ワックス、磨き粉、重質及び軽質液体洗剤、柔軟剤、アイロン補助剤(ironing aid)、洗濯洗剤、並びに窓ガラス用洗剤等の家庭用品も挙げられる。さらに、かかる製品としては、ワックス、磨き粉、重質及び軽質洗剤、窓ガラス用洗剤、タイヤ用洗剤及び保護剤(protector)、ビニール製品用(vinyl)洗剤及び保護剤等の自動車部品も挙げられる。
【００３３】
これらの製品で使用されるいくつかの典型的な成分は、界面活性剤、顔料、溶媒、皮膚軟化剤及びキャリアである。例えば、溶媒としては、エステル（例えば、ミリスチン酸イソプロピル及びＣ１２−１５乳酸アルキル）；水；シリコーン流体（例えば、シクロメチコーン、ジメチコーン）；エタノール；イソプロパノール；８〜３０個の炭素、特に１２〜２２個の炭素を有するゲルベ(guerbet)アルコール（例えば、イソラウリルアルコール、イソセチルアルコール、イソステアリルアルコール）、脂肪アルコール（例えば、ステアリルアルコール、ミリスチルアルコール、オレイルアルコール）；並びにエトキシル化及びプロポキシル化アルコール（例えば、式ＣＨ３（ＣＨ２）１０ＣＨ２（ＯＣＨ２ＣＨ２）ｒＯＨ［式中、ｒは４の平均値を有する]に適合する、ラウリルアルコールのポリエチレングリコールエーテル（ラウレス−４）；ＰＰＧ−１４ブチルエーテル（ここで、「ＰＥＧ−１４」部分は、式Ｈ（ＯＣＨ２Ｃ（ＣＨ３）Ｈ）ｓＯＨ［式中、ｓは１４の平均値を有する]に一般に適合する、プロピレンオキシドのポリマーである）；又は式ＣＨ３（ＣＨ２）１２ＣＨ２（ＯＣＨ（ＣＨ３）ＣＨ２）ｔＯＨ［式中、ｔは３の平均値を有する］に適合する、ミリスチルアルコールのプロピレングリコールエーテルであるＰＰＧ−３ミリスチルエーテル）、又は炭化水素流体を挙げることができる。
【００３４】
炭化水素流体は、ハロゲン化炭化水素流体、脂肪族炭化水素流体、芳香族炭化水素流体、並びに芳香族及び脂肪族炭化水素流体の混合物のような有機炭化水素流体により例示される。炭化水素流体は、約６〜約１２個の炭素原子を通常含有する。適切な炭化水素流体の例としては、ペルクロロエチレン、ベンゼン、キシレン、トルエン、鉱油留分(mineral oil fractions)、灯油、ナフサ、及び石油留分が挙げられる。特に好ましいのは、Ｉｓｏｐａｒ（登録商標）Ｍ Ｆｌｕｉｄ（Ｃ１３−Ｃ１４イソパラフィン）、Ｉｓｏｐａｒ(登録商標）Ｃ Ｆｌｕｉｄ（Ｃ７−Ｃ８イソパラフィン）、Ｉｓｏｐａｒ（登録商標）Ｅ Ｆｌｕｉｄ（Ｃ８−Ｃ９イソパラフィン）、Ｉｓｏｐａｒ（登録商標）Ｇ Ｆｌｕｉｄ（Ｃ１０−１１イソパラフィン）、Ｉｓｏｐａｒ（登録商標）Ｌ Ｆｌｕｉｄ（Ｃ１１−Ｃ１３イソパラフィン）、Ｉｓｏｐａｒ（登録商標）Ｈ Ｆｌｕｉｄ（Ｃ１１−Ｃ１２イソパラフィン）として販売されている、エクソンモービルケミカル社（米国、テキサス州、ヒューストン）から入手可能なイソパラフィン系流体、及びこれらの混合物により例示されるイソパラフィン系炭化水素流体である。また、溶媒の混合物も使用され得る。
【００３５】
使用可能な他の成分は皮膚軟化剤である。かかる皮膚軟化剤としては、ゲルベアルコール（例えば、イソセチルアルコール又はイソステアリルアルコール）；エステル（例えば、パルミチン酸イソプロピル、イソステアリン酸イソプロピル、ステアリン酸オクチル、ラウリン酸ヘキシル及び乳酸イソステアリル）；室温で液体の炭化水素の液体混合物（例えば、石油蒸留分及び軽油）；エタノール；揮発性及び不揮発性シリコーン油、高度分枝炭化水素、並びに非極性カルボン酸等の組成物が挙げられる。皮膚軟化剤は、本発明の組成物において、組成物の総重量の０．０１〜７０重量％、好ましくは０．１〜２５重量％の範囲の量で含まれ得る。
【００３６】
キャリアは、種々のコンディショニング材料（例えば、炭化水素、シリコーン流体及び陽イオン性材料）を含み得る。キャリアは、界面活性剤、懸濁化剤、増粘剤等を含み得る。これらの組成物において有用である各種の追加の構成成分は、米国特許第４，３８７，０９０号（１９８３年６月７日）に記載されている。
【００３７】
本発明による局所化粧品(topical cosmetic)及び医薬品組成物は、キャリアを含有し得るが、かかるキャリアは、美容上及び／又は薬学上許容可能なもの、すなわち、皮膚への局所適用に適切で、良好な美的特性を有し、本発明のシロキサンコポリマーと相容性があり、且つ如何なる安全性又は毒性に対する懸念をもたらさないものであるべきである。水中油型エマルション、油中水型エマルション、水中油中水型(water-in-oil-in-water)エマルション、又はシリコーン油中水中油型(oil-in-water-in-silicone oil)エマルション等のエマルションをキャリアとして含むように配合することができる。
【００３８】
いくつかの他に適切な局所キャリアとしては、油類、アルコール類及びシリコーン類（例えば、鉱油、エタノール、イソプロパノール、ジメチコーン、シクロメチコーン等）；水性単相溶媒（例えば、適切なゴム、樹脂、ワックス、ポリマー、塩等の添加によって溶媒の粘度が増加し、固形物又は半固形物を形成するもの）のような無水液体溶媒が挙げられる。しかしながら、美容上及び／薬学上許容可能な好ましい局所キャリアは、含水アルコール系(hydroalcoholic system)又は水中油型エマルションである。キャリアが水中油型エマルションである場合、キャリアはエマルションを調製するために一般に用いられる公知の成分を含むであろう。
【００３９】
いくつかの局所活性成分が製品において使用される。かかる局所活性成分としては、抗にきび剤、虫歯予防剤、ふけ防止剤、抗真菌剤、抗菌剤、酸化防止剤、制汗剤及び体臭防止剤、化粧用殺生剤(cosmetic biocide)、外用鎮痛剤、口腔ケア剤(oral care agent)、口腔ケア薬(oral care drug)、酸化剤、還元剤、皮膚漂白剤(skin bleaching agent)、皮膚保護剤、日焼け防止剤、ＵＶ光吸収剤、酵素、蛍光増白剤、柔軟剤及び界面活性剤がある。
【００４０】
抗にきび剤のいくつかの例は、サリチル酸及び硫黄である。虫歯予防剤のいくつかの例は、フッ化ナトリウム、モノフルオロリン酸ナトリウム及びフッ化スズである。ふけ防止剤のいくつかの例は、コールタール、サリチル酸、硫化セレン、硫黄、及び亜鉛ピリチオンである。抗真菌剤のいくつかの例は、ウンデシレン酸カルシウム、ウンデシレン酸、ウンデシレン酸亜鉛及びポビドンヨードである。抗菌剤のいくつかの例は、アルコール、塩化ベンザルコニウム、塩化ベンゼトニウム、過酸化水素、塩化メチルベンゼトニウム、フェノール、ポロキサマー(Poloxamer)１８８、及びポビドンヨードである。
【００４１】
酸化防止剤のいくつかの例は、アセチルシステイン、アルブチン、アスコルビン酸、アスコルビン酸ポリペプチド、ジパルミチン酸アスコルビル、アスコルビルメチルシラノールペクチン(Ascorbyl Methylsilanol Pectinate)、パルミチン酸アスコルビル、ステアリン酸アスコルビル、ＢＨＡ、ｐ−ヒドロキシアニソール、ＢＨＴ、ｔ−ブチルヒドロキノン、コーヒー酸、カメリアシネンシス油、キトサンアスコルビン酸(Chitosan Ascorbate)、キトサングリコール酸(Chitosan Glycolate)、キトサンサリチル酸(Chitosan Salicylate)、クロロゲン酸、システイン、システインＨＣＩ、デシルメルカプトメチルイミダゾール、エリソルビン酸、ジアミルヒドロキノン、ジ−ｔ−ブチルヒドロキノン、ジセチルチオジプロピオネート、ジシクロペンタジエン／ｔ−ブチルクレゾールコポリマー、三オレイン酸二ガロイル(Digalloyl Trioleate)、チオジプロピオン酸ジラウリル、チオジプロピオン酸ジミリスチル、ジオレイルトコフェリルメチルシラノール、イソクエルシトリン、ジオスミン(Diosmine)、アスコルビン酸硫酸二ナトリウム、ルチニル二硫酸二ナトリウム(Disodium Rutinyl Disulfate)、チオジプロピオン酸ジステアリル、チオジプロピオン酸ジトリデシル、没食子酸ドデシル、フェルラ酸エチル(Ethyl Ferulate)、フェルラ酸、ヒドロキノン、ヒドロキシアミンＨＣＩ、硫酸ヒドロキシアミン、チオグリコール酸イソオクチル、コジック酸、マデカシコシド(Madecassicoside)、アスコルビン酸マグネシウム、リン酸マグネシウムアスコルビル、メラトニン、ルチニルコハク酸メトキシ−ＰＥＧ−７(Methoxy-PEG-7 Rutinyl Succinate)、メチレンジ−ｔ−ブチルクレゾール、アスコルビン酸メチルシラノール、ノルジヒドログアヤレト酸、没食子塩オクチル、フェニルチオグリコール酸、フロログルシノール、アスコルビルトコフェリルリン酸カリウム、チオジグリコールアミド、亜硫酸カリウム、没食子酸プロピル、ロスマリン酸、ルチン、アスコルビン酸ナトリウム、アスコルビル／コレステリルリン酸ナトリウム、重亜硫酸ナトリウム、エリソルビン酸ナトリウム、メタ二硫化ナトリウム、亜硫酸ナトリウム、チオグリコール酸ナトリウム、ソルビチルフルフラール(Sorbityl Furfural)、ティーツリー（メラルーカアルテルニフォーリア）油、酢酸トコフェロール、アスコルビン酸テトラヘキシルデシル、テトラヒドロジフェルロイルメタン、リノール酸／オレイン酸トコフェロール、チオジグリコール、コハク酸トコフェロール、チオジグリコール酸、チオグリコール酸、チオ乳酸、チオサリチル酸、チオタウリン、レチノール、トコフェレス−５(Tocophereth-5)、トコフェレス−１０、トコフェレス−１２、トコフェレス−１８、トコフェレス−５０、トコフェロール、トコフェルソラン、リノール酸トコフェロール、ニコチン酸トコフェロール、トコキノン、ｏ−トリルビグアニド、トリス（ノニルフェニル）ホスファイト、ユビキノン、及びジブチルジチオカルバミン酸亜鉛である。
【００４２】
制汗剤及び体臭防止剤のいくつかの例は、塩化アルミニウム、アルミニウムジルコニウムテトラクロロハイドレックスＧＬＹ、ジクロロ−ｍ−キシレノール、アルミニウムクロロハイドレート、アルミニウムジルコニウムテトラクロロハイドレックスＰＥＧ、アルミニウムクロロハイドレックス、アルミニウムジルコニウムテトラクロロハイドレックスＰＧ、アルミニウムクロロハイドレックスＰＥＧ、アルミニウムジルコニウムトリクロロハイドレート、臭化ドミフェン、アルミニウムクロロハイドレックスＰＧ、アルミニウムジルコニウムトリクロロハイドレックスＧＬＹ、ヘキサクロロフェン、アルミニウムジクロロハイドレート、フェノールスルホン酸アンモニウム、ケトグルタル酸、アルミニウムジクロロハイドレックスＰＥＧ、臭化ベンザルコニウム、臭化ラウリルイソキノリニウム、アルミニウムジクロロハイドレックスＰＧ、セチルリン酸ベンザルコニウム、塩化ラウリルピリジニウム、乳酸アルミニウム、塩化ベンザルコニウム、塩化メチルベンゼトニウム、フェノールスルホン酸アルミニウム、サッカリン酸ベンザルコニウム(Benzalkonium Saccharinate)、フェノール、アルミニウムセスキクロロハイドレート、塩化ベンゼトニウム、重炭酸ナトリウム、アルミニウムセスキクロロハイドレックスＰＥＧ(Aluminum Sesquichlorohydrex PEG)、ブロモクロロフェン(Bromochlorophene)、フェノールスルホン酸ナトリウム、アルミニウムセスキクロロハイドレックスＰＧ、塩化セチルピリジニウム、トリクロバン(Tricloban)、硫酸アルミニウム、クロロフィリン−銅錯体、トリクロサン、アルミニウムジルコニウムオクタクロロハイドレート、クロロチモール、ゼオライト、アルミニウムジルコニウムオクタクロロハイドレックスＧＬＹ、乳酸亜鉛、アルミニウムジルコニウムペンタクロロハイドレート、クロフルカルバン(Cloflucarban)、フェノールスルホン酸亜鉛、アルミニウムジルコニウムペンタクロロハイドレックスＧＬＹ、塩化デカリニウム、リシノール酸亜鉛、アルミニウムジルコニウムテトラクロロハイドレート、及びジクロロフェンである。
【００４３】
化粧用殺生剤のいくつかの例は、フェノールスルホン酸アルミニウム、フェノールスルホン酸アンモニウム、バクチオール(Bakuchiol)、臭化ベンザルコニウム、セチルリン酸ベンザルコニウム(Benzalkonium Cetyl Phosphate)、塩化ベンザルコニウム、サッカリン酸ベンザルコニウム、塩化ベンゼトニウム、ポタシウムフェノキシド(Potassium Phenoxide)、ベンゾキシキン、塩化ベンゾキソニウム(Benzoxonium Chloride)、ビスピリチオン(Bispyrithione)、ホウ酸、ブロモクロロフェン(Bromochlorophene)、カンファーベンザルコニウムメトサルフェート(Camphor Benzalkonium Methosulfate)、キャプタン、塩化セタルコニウム、臭化セテアラルコニウム(Cetearalkonium Bromide)、臭化セテチルジモニウム(Cetethyldimonium Bromide)、臭化セトリモニウム、塩化セトリモニウム、セトリモニウムメトサルフェート、サッカリン酸セトリモニウム、トシル酸セトリモニウム(Cetrimonium Tosylate)、塩化セチルピリジニウム、クロラミンＴ、クロルヘキシジン、二酢酸クロルヘキシジン、ジグルコン酸クロルヘキシジン、二塩酸クロルヘキシジン、ｐ−クロロ−ｍ−クレゾール、クロロフェン、ｐ−クロロフェノール、クロロチモール、クロロキシレノール、クロルフェネシン、シクロピロックスオラミン、クリンバゾール(Climbazole)、クロフルカルバン(Cloflucarban)、クロトリマゾール、コールタール、コロイド硫黄、ｏ−シメン−５−オール、酢酸デクアリニウム、塩化デクアリニウム、ジイセチオン酸ジブロモプロパミジン(Dibromopropamidine Diisethionate)、ジクロロベンジルアルコール、ジクロロフェン、ジクロロフェニルイミダゾールジオキソラン、ジクロロ−ｍ−キシレノール、ジヨートメチルトリルスルホン(Diiodomethyltolylsulfone)、ジメチロールエチレンチオ尿素、ジフェニルメチルピペラジニルベンズイミダゾール、臭化ドミフェン、７−エチルビシクロオキサゾリジン、フルオロサラン(Fluorosalan)、ホルムアルデヒド、グルタラール、ヘキサクロロフェン、ヘキサミジン、ジイセチオン酸ヘキサミジン、ヘキサミジンジパラベン(Hexamidine Diparaben)、ヘキサミジンパラベン、ヘキセチジン(Hexetidine)、過酸化水素、ヒドロキシメチルジオキソアザビシクロオクタン、イクタモール、イソプロピルクレゾール、塩化ラピリウム(Lapyrium Chloride)、臭化ラウルアルコニウム(Lauralkonium Bromide)、塩化ラウルアルコニウム、臭化ラウルトリモニウム(Laurtrimonium Bromide)、塩化ラウルトリモニウム、ラウルトリモニウムトリクロロフェノキシド(Laurtrimonium Trichlorophenoxide)、臭化ラウリルイソキノリニウム、サッカリン酸ラウリルイソキノリニウム、塩化ラウリルピリジニウム、酸化第二水銀、メテナミン、塩化メテンアンモニウム(Methenammonium Chloride)、塩化メチルベンゼトニウム、塩化ミリスタルコニウム(Myristalkonium Chloride)、サッカリン酸ミリスタルコニウム、臭化ミルトリモニウム(Myrtrimonium Bromide)、ノノキシノール−９ヨード、ノノキシノール−１２ヨード、塩化オレアルコニウム、オキシキノリン、安息香酸オキシキノリン、硫酸オキシキノリン、ＰＥＧ−２塩化ココベンゾニウム(PEG-2 Coco-Benzonium Chloride)、ＰＥＧ−１０塩化ココベンゾニウム、ＰＥＧ−６ウンデシレネート(PEG-6 Undecylenate)、ＰＥＧ−８ウンデシレネート、フェノール、ｏ−フェニルフェノール、フェニルサリチレート、ピロクトンオラミン、スルホスクシニルウン���シレネート(Sulfosuccinylundecylenate)、ｏ−フェニルフェノールカリウム(Potassium o-Phenylphenate)、サリチル酸カリウム、トロクロセンカリウム、プロピオン酸、ＰＶＰ−ヨード、クオタニウム−８、クオタニウム−１４、クオタニウム−２４、フェノールスルホン酸ナトリウム、ナトリウムフェノキシド、ｏ−フェニルフェノールナトリウム、スルホン酸ナトリウムシェール油(Sodium Shale Oil Sulfonate)、ウスニン酸ナトリウム、チアベンダゾール、２，２’−チオビス（４−クロロフェノール）、チラム、トリアセチン、トリクロカルバン、トリクロサン、トリオクチルドデシルボレート(Trioctyldodecyl Borate)、ウンデシレナミドプロピルアミンオキシド(Undecylenamidopropylamine Oxide)、ウンデシレネス−６(Undecyleneth-6)、ウンデシレン酸、酢酸亜鉛、アスパラギン酸亜鉛、ホウ酸亜鉛、塩化亜鉛、クエン酸亜鉛、システイン酸亜鉛(Zinc Cysteinate)、ジブチルジチオカルバミン酸亜鉛、グルコン酸亜鉛、グルタミン酸亜鉛、乳酸亜鉛、フェノールスルホン酸亜鉛、亜鉛ピリチオン、硫酸亜鉛、及びウンデシレン酸亜鉛である。
【００４４】
外用鎮痛剤のいくつかの例は、ベンジルアルコール、含油樹脂唐辛子（含油樹脂キダチ唐辛子(Capsicum Frutescens Oleoresin)）、サリチル酸メチル、ショウノウ、フェノール、カプサイシン、杜松タール（プリックリージュニパー(Juniperus Oxycedrus)タール）、フェノールナトリウム(Phenolate Sodium)（ナトリウムフェノキシド）、唐辛子（キダチ唐辛子）、メントール、レゾルシノール、ニコチン酸メチル、及びテレビン油（Turpentine)である。
【００４５】
口腔ケア剤のいくつかの例は、フッ化アルミニウム、リン酸二カルシウム二水和物、重炭酸ナトリウム、フッ化アンモニウム、臭化ドミフェン、塩化ナトリウム、ケイフッ化アンモニウム、グリセロリン酸鉄(Ferric Glycerophosphate)、フッ化ナトリウム、モノフルオロリン酸アンモニウム、グリセリン、ケイフッ化ナトリウム、リン酸アンモニウム、ヘキセチジン(Hexetidine)、グリセロリン酸ナトリウム、炭酸カルシウム、水和シリカ(Hydrated Silica)、メタリン酸ナトリウム、フッ化カルシウム、水添でんぷん加水分解物(Hydrogenated Starch Hydrolysate)、モノフルオロリン酸ナトリウム、グリセロリン酸カルシウム、過酸化水素、フィチン酸ナトリウム、モノフルオロリン酸カルシウム、ヒドロキシアパタイト、ナトリウムスチレン(Sodium Styrene)／アクリレート／ジビニルベンゼン、リン酸カルシウム、フッ化マグネシウム、ピロリン酸カルシウム、ケイフッ化マグネシウム、フッ化スズ、フッ化水素酸セチルアミン(Cetylamine Hydrofluoride)、グリセロリン酸マグネシウム、ピロリン酸スズ、塩化セチルピリジニウム、グリセロリン酸マンガン、酢酸ストロンチウム、クロロヘキシジン(Chlorohexidine)、オラフルル(Olaflur)、塩化ストロンチウム、二酢酸クロロヘキシジン(Chlorohexidine Diacetate)、フィチン酸、ピロリン酸四カリウム、二グルコン酸クロロヘキシジン(Chlorohexidine Digluconate)、ポリエチレン、ピロリン酸四ナトリウム、二塩酸クロロヘキシジン(Chlorohexidine Dihydrochloride)、フッ化カリウム、リン酸三カルシウム、クロロチモール、ケイフッ化カリウム、塩化亜鉛、塩化デカリニウム、グリセロリン酸カリウム、クエン酸亜鉛、リン酸二アンモニウム、モノフルオロリン酸カリウム、硫酸亜鉛、及びリン酸二カルシウムである。
【００４６】
口腔ケア薬のいくつかの例は、アンモニウムミョウバン、カリウムミョウバン、ベンジルアルコール、過酸化カルバミド、アカニレ樹皮抽出物(Elm Bark Extract)、ゼラチン、グリセリン、過酸化水素、メントール、ペクチン、フェノール、重炭酸ナトリウム、過ホウ酸ナトリウム、及び塩化亜鉛である。
【００４７】
酸化剤のいくつかの例は、過硫酸アンモニウム、過酸化カルシウム、過酸化水素、過酸化マグネシウム、過酸化メラミン(Melamine Peroxide)、臭素酸カリウム、カロ酸カリウム(Potassium Caroate)、塩素酸カリウム、過硫酸カリウム、臭素酸ナトリウム、過酸化炭酸ナトリウム(Sodium Carbonate Peroxide)、塩素酸ナトリウム、ヨウ素酸ナトリウム、過ホウ酸ナトリウム、過硫酸ナトリウム、二酸化ストロンチウム、過酸化ストロンチウム、過酸化尿素、及び過酸化亜鉛である。
【００４８】
還元剤のいくつかの例は、重亜硫酸アンモニウム、亜硫酸アンモニウム、チオグリコール酸アンモニウム、チオ乳酸アンモニウム、システマインＨＣｌ(Cystemaine HCl)、システイン、システインＨＣｌ、チオグリコール酸エタノールアミン、グルタチオン、チオグリコール酸グリセリル、チオプロピオン酸グリセリル、ヒドロキノン、ｐ−ヒドロキシアニソール、チオグリコール酸イソオクチル、チオグリコール酸マグネシウム、メルカプトプロピオン酸、メタ重亜硫酸カリウム、亜硫酸カリウム、チオグリコール酸カリウム、重亜硫酸ナトリウム、ヒドロ亜硫酸ナトリウム、ヒドロキシメタンスルホン酸ナトリウム、メタ重亜硫酸ナトリウム、亜硫酸ナトリウム、チオグリコール酸ナトリウム、チオグリコール酸ストロンチウム、スーパーオキシドジスムターゼ、チオグリセリン、チオグリコール酸、チオ乳酸、チオサリチル酸、及びホルムアルデヒドスルホキシル酸亜鉛である。
【００４９】
皮膚漂白剤の例は、ヒドロキノンである。
【００５０】
皮膚保護剤のいくつかの例は、アラントイン、酢酸アルミニウム、水酸化アルミニウム、硫酸アルミニウム、カラミン、ココアバター、肝油、コロイダルオートミール(Colloidal Oatmeal)、ジメチコーン、グリセリン、カオリン、ラノリン、鉱油、ペトロラタム、サメ肝油、重炭酸ナトリウム、タルク、マンサク(Witch Hazel)、酢酸亜鉛、炭酸亜鉛、及び酸化亜鉛である。
【００５１】
本発明により調製される組成物は、店頭（ＯＴＣ）用の様々なパーソナルケア組成物、医療用組成物及び家庭用ケア組成物で使用され得るが、特にパーソナルケア分野で使用され得る。従って、それらは、制汗剤、体臭防止剤、スキンクリーム、スキンケアローション、保湿剤、にきび又はしわ除去剤等の顔用トリートメント、身体用及び顔用洗浄剤、浴剤、香料、オーデコロン、におい袋(sachet)、日焼け止め剤、プレシェーブ及びアフターシェーブローション、液体石鹸、ひげそり用石鹸、ひげそり用フォーム(shaving lather)、ヘアシャンプー、ヘアコンディショナー、ヘアスプレー、ムース、パーマ(permanent)、脱毛剤、ヘアキューティクルコート(hair cuticle coat)、化粧品、色化粧品、ファンデーション、ほお紅、口紅、リップクリーム、アイライナー、マスカラ、油除去剤(oil remover)、色化粧品除去剤、マニキュア液、並びに粉剤(powder)で使用され得る。
【実施例】
【００５２】
以下の実施例は、本発明の組成物及び方法をさらに説明するために示すが、本発明を制限すると解釈されない。他で示さない限り、実施例における全ての部及び比率は重量基準であり、全ての測定は約２３℃で得られた。
【００５３】
後に続く代表例において、「カルビノール流体」として記載された成分は、ダウコーニング（登録商標）５５６２カルビノール流体（ダウコーニング社、ミシガン州ミッドランド）、式Ｒ１Ｍｅ２ＳｉＯ（Ｍｅ２ＳｉＯ）ｘＳｉＭｅ２Ｒ１（式中、Ｒ１は−（ＣＨ２）３ＯＣＨ２ＣＨ２ＯＨであり、ｘは２３℃で約５０ｃＳ（ｍｍ２／ｓ）の粘度を有する製品を与えるような値である）を有するヒドロカルビル官能性オルガノポリシロキサンである。
【００５４】
（実施例１）
シリコーン樹脂及びキャリアを含有する無着色コーティング組成物において、カルビノール流体を湿潤剤として評価した。比較のために、他の一般に用いられている湿潤剤も評価した。これらは、ミシガン州ミッドランドのダウコーニング社からのダウコーニング（登録商標）５２１１（ジメチコーンコポリオール）、シリコーンポリエーテル湿潤剤、ニュージャージー州エディソンのクローダインコーポレイテッド（クローダインターナショナルピーエルシー(Croda International Plc)の米国部門）からのクロダモルＰＴＩＳ（ペンタエリスリチルテトライソステアレート）、及びヒマシ油を含んでいた。コーティング組成物は、１０重量％の湿潤剤と、２０重量％固形分のシリコーン樹脂と、７０重量％のキャリアとを含有していた。使用したキャリアは、シクロメチコーン（Ｄ５）及びイソドデカンであった。コーティング組成物で使用したシリコーン樹脂は、ダウコーニング社（ミシガン州ミッドランド）のダウコーニング（登録商標）ＳＲ２４００、ダウコーニング（登録商標）７４９流体、ダウコーニング（登録商標）７−４４０５化粧用流体であった。コーティングは、メイラードコーティングロッド(Maylard coating rod)Ｎｏ８を用いるレネッタチャート(Lenetta chart)上に適用した。その結果として得られた膜は、目視観察、及びガードナー光沢計(Gardner Tri-Gloss meter)を用いる６０°光沢の測定により特徴付けられた。均一の膜は、「可」として記載された。配合及び結果を表１にまとめる。
【００５５】
【表１】
2007533823.tif 000002
【００５６】
かかる結果は、カルビノール流体が湿潤剤として使用された場合に、系内でより良好な相容性を示す。カルビノール流体に基づく膜は、均一で、最も高い光沢度を有していた。
【００５７】
本発明の本質的な特徴を逸脱することなく、本明細書中に記載する化合物、組成物及び方法において、他の変更がなされてもよい。本明細書中で具体的に示した本発明の実施形態は、単なる例示的なものであり、添付の特許請求の範囲で規定する場合を除いて、本発明の範囲に対する限定とは意図されない。
【国際調査報告】
2007533823.tif 000003
2007533823.tif 000004